(57)【要約】【課題】両面表示装置において、簡単な構成で２つの表示パネルにおけるコンテンツを時間的に同期させることを目的とする。【解決手段】本発明の両面表示装置は、コンテンツＡ，Ｂが合成された複合コンテンツから、コンテンツＡ，Ｂを分離抽出する複合コンテンツ分離手段２００と、複合コンテンツ分離手段２００が分離抽出したコンテンツＡを表示する表示パネル１００と、表示パネル１００と背中合わせに配置され、複合コンテンツ分離手段２００が分離抽出したコンテンツＢを表示する表示パネル１０１とを備える。【選択図】図１
2013205699.tif 000002
【特許請求の範囲】
【請求項１】
第１コンテンツと第２コンテンツが合成された複合コンテンツから、前記第１コンテンツと前記第２コンテンツを分離抽出する分離手段と、
前記分離手段が分離抽出した前記第１コンテンツを表示する第１表示パネルと、
前記第１表示パネルと背中合わせに配置され、前記分離手段が分離抽出した前記第２コンテンツを表示する第２表示パネルとを備える、
両面表示装置。
【請求項２】
前記分離手段は、前記第１、第２コンテンツの何れか一方を１８０度回転させて抽出する、
請求項１に記載の両面表示装置。
【請求項３】
前記複合コンテンツは、サイドバイサイド方式で前記第１、第２コンテンツが合成された複合コンテンツである、
請求項１又は２に記載の両面表示装置。
【請求項４】
前記複合コンテンツは、トップアンドボトム方式で前記第１、第２コンテンツが合成された複合コンテンツである、
請求項１又は２に記載の両面表示装置。
【請求項５】
前記複合コンテンツは、フレームパッキング方式で前記第１、第２コンテンツが合成された複合コンテンツであり、
請求項１又は２に記載の両面表示装置。
【請求項６】
前記分離手段は、
記憶回路と、
当該記憶回路に前記複合コンテンツを書き込む書き込み処理回路と、
前記記憶回路から前記第１コンテンツと前記第２コンテンツを分離して読み出す読み出し処理回路と、
前記読み出し処理回路の読み取りタイミングと読み取り方向を制御するタイミング制御回路と、
前記タイミング制御回路の動作モードを指定する動作モード制御回路とを備え、
前記タイミング制御回路は、指定された前記動作モードに応じて前記制御を行う、
請求項１〜５のいずれかに記載の両面表示装置。
【発明の詳細な説明】
【技術分野】
【０００１】
本発明は、２枚の映像表示パネルの背面を合わせて配置して、異なる映像を両面で表示可能な両面表示装置に関するものである。
【背景技術】
【０００２】
両面表示装置は、例えば特許文献１に開示されている。特許文献１に開示される両面表示装置においては、２枚の表示パネルを背中合わせに配置され、夫々の表示パネルには、複数個系統の画像生成装置からの映像が選択して表示される。
【０００３】
また、特許文献２には、上下方向に回動可能な状態で２枚の表示パネルを接合した表示装置が開示されている。この表示装置によれば、２枚の表示パネルを背中合わせの状態にして両面表示装置として動作させ、あるいは表示面を並べた状態で大画面の表示装置として動作させることが可能である。
【先行技術文献】
【特許文献】
【０００４】
【特許文献１】特開平６−１２２２２号公報
【特許文献２】特開２００５−３７７４７号公報
【発明の概要】
【発明が解決しようとする課題】
【０００５】
いずれの先行例においても、異なる表示内容（以下、「コンテンツ」という。また、コンテンツのデータも単に「コンテンツ」という。）を２つの表示パネルで表示する場合、それら２つのコンテンツは別の画像生成装置あるいは映像ソースから提供されるものであり、それらが時間的に同期していないという問題点があった。
【０００６】
そこで、本発明は両面表示装置において、簡単な構成で２つの表示パネルにおけるコンテンツを時間的に同期させることを目的とする。
【課題を解決するための手段】
【０００７】
本発明の両面表示装置は、第１コンテンツと第２コンテンツが合成された複合コンテンツから、第１コンテンツと第２コンテンツを分離抽出する分離手段と、分離手段が分離抽出した第１コンテンツを表示する第１表示パネルと、第１表示パネルと背中合わせに配置され、分離手段が分離抽出した第２コンテンツを表示する第２表示パネルとを備える。
【発明の効果】
【０００８】
本発明の両面表示装置は、第１コンテンツと第２コンテンツが合成された複合コンテンツから、第１コンテンツと第２コンテンツを分離抽出する分離手段と、分離手段が分離抽出した第１コンテンツを表示する第１表示パネルと、第１表示パネルと背中合わせに配置され、分離手段が分離抽出した第２コンテンツを表示する第２表示パネルとを備えるので、単一の映像ソースで両面表示を行うことが可能であり、簡単な構成の両面表示装置となる。また、第１コンテンツと第２コンテンツは同期して表示することが可能である。
【図面の簡単な説明】
【０００９】
【図１】実施の形態１に係る両面表示装置の構成図である。
【図２】サイドバイサイド方式の複合コンテンツに対する分離手段の動作を示す図である。
【図３】トップアンドボトム方式の複合コンテンツに対する分離手段の動作を示す図である。
【図４】フレームパッキング方式の複合コンテンツに対する分離手段の動作を示す図である。
【図５】実施の形態２に係る両面表示装置の構成図である。
【図６】実施の形態２に係る両面表示装置の動作を示す図である。
【図７】両面表示装置の設置状態を示す図である。
【図８】実施の形態２に係る両面表示装置の分離手段の構成を示す図である。
【図９】実施の形態２に係る両面表示装置の分離手段の内部構成図である。
【発明を実施するための形態】
【００１０】
＜Ａ．実施の形態１＞
＜Ａ−１．構成＞
図１は、実施の形態１に係る両面表示装置の構成図である。本実施の形態の両面表示装置は、２枚の表示パネル１００，１０１と、表示パネル１００，１０１の動作タイミングを制御する表示パネルタイミング制御手段１１０と、複合コンテンツ分離手段２００を備えている。
【００１１】
２枚の表示パネル１００，１０１は背中合わせに配置される。表示パネル１００の表示内容をコンテンツＡ，表示パネル１０１の表示内容をコンテンツＢとする。
【００１２】
複合コンテンツ分離手段２００には、コンテンツＡとコンテンツＢが合成された複合コンテンツが入力される。複合コンテンツ分離手段２００は、複合コンテンツからコンテンツＡを抽出して表示パネル１００に入力し、同じくコンテンツＢを抽出して表示パネル１０１に入力する。
【００１３】
＜Ａ−２．サイドバイサイド方式＞
複合コンテンツは、３Ｄ映像信号の既知の伝送形式で上位装置から複合コンテンツ分離手段２００に伝送される。例えば、複合コンテンツはサイドバイサイド方式で伝送される。サイドバイサイド方式では、フレームの左半分を用いて１／２に縮小したコンテンツＡが伝送され、フレームの右半分を用いて１／２に縮小したコンテンツＢが伝送される。
【００１４】
図２に、サイドバイサイド方式で伝送された複合コンテンツを分離する複合コンテンツ分離手段２００の構成と動作を示す。複合コンテンツ分離手段２００は、フレームの左側半分を抽出する水平１／２抽出処理手段（Ｌ）２０１と、フレームの右側半分を抽出する水平１／２抽出処理手段（Ｒ）２０２と、水平伸長処理手段２０３，２０４を備えている。サイドバイサイド方式で複合コンテンツ分離手段２００に伝送された複合コンテンツは、まず水平１／２抽出処理手段（Ｌ）２０１でコンテンツＡに該当するフレームの左側半分が抽出される。抽出されたフレームは、さらに水平伸長処理手段２０３で水平方向に２倍に伸長され、表示パネル１００に入力される。こうして、表示パネル１００でコンテンツＡが表示される。
【００１５】
一方、水平１／２抽出処理手段（Ｒ）２０２では、コンテンツＢに該当するフレームの右側半分が抽出される。抽出されたフレームは、さらに水平伸長処理手段２０４で水平方向に２倍に伸長され、表示パネル１０１に入力される。こうして、表示パネル１０１でコンテンツＢが表示される。
【００１６】
＜Ａ−３．トップアンドボトム方式＞
次に、トップアンドボトム方式で伝送された複合コンテンツに対応する複合コンテンツ分離手段２１０の構成と動作を図３を用いて説明する。トップアンドボトム方式では、１フレームの上半分を用いて１／２に縮小したコンテンツＡが伝送され、下半分を用いて１／２に縮小したコンテンツＢが伝送される。
【００１７】
複合コンテンツ分離手段２１０は、フレームの上側半分を抽出する垂直１／２抽出処理手段（Ｔ）２１１と、フレームの下側半分を抽出する垂直１／２抽出処理手段（Ｂ）２１２と、垂直伸長処理手段２１３，２１４を備えている。トップアンドボトム方式で複合コンテンツ分離手段２１０に伝送された複合コンテンツは、垂直１／２抽出処理手段（Ｔ）２１１と垂直１／２抽出処理手段（Ｂ）２１２に入力される。垂直１／２抽出処理手段（Ｔ）では、コンテンツＡに該当するフレームの上側半分が抽出される。その後、垂直伸長処理手段２１３で垂直方向に２倍に伸長され、表示パネル１００に入力される。こうして、表示パネル１００でコンテンツＡが表示される。
【００１８】
一方、垂直１／２抽出処理手段（Ｂ）２１２では、コンテンツＢに該当するフレームの下側半分が抽出される。抽出されたフレームは、垂直伸長処理手段２１４で垂直方向に２倍に伸長され、表示パネル１０１に入力される。こうして、表示パネル１０１でコンテンツＢが表示される。
【００１９】
＜Ａ−４．フレームパッキング方式＞
次に、フレームパッキング方式で伝送された複合コンテンツに対応する複合コンテンツ分離手段２２０の構成と動作を図４を用いて説明する。フレームパッキング方式では、コンテンツＡはフレームの上側に、コンテンツＢはフレームの下側に、夫々縮小することなく配置される。そのため、コンテンツのデータサイズはサイドバイサイド方式やトップアンドボトム方式の２倍になる。コンテンツの１フレーム時間はフレームパッキング方式、サイドバイサイド方式、トップアンドボトム方式で同一であるため、フレームパッキング方式によるコンテンツの伝送速度は他の方式の２倍となる。
【００２０】
複合コンテンツ分離手段２２０は、フレームの上側半分を抽出する半フレーム抽出処理手段（Ｔ）２２１と、フレームの下側半分を抽出する半フレーム抽出処理手段（Ｔ）２２２と、信号速度変換処理手段２２３，２２４を備えている。
【００２１】
フレームパッキング方式で複合コンテンツ分離手段２２０に伝送された複合コンテンツは、半フレーム抽出処理手段（Ｔ）２２１と半フレーム抽出処理手段（Ｂ）２２２に入力される。半フレーム抽出処理手段（Ｔ）は、コンテンツＡに該当する複合コンテンツの上側半分を切り出して信号速度変換処理手段２２３に出力する。半フレーム抽出処理手段（Ｔ）２２１から出力されるコンテンツＡの伝送速度は、上述したように他の伝送方式の２倍になっているので、コンテンツＡは信号速度変換処理手段２２３で伝送速度を半減された上で、表示パネル１００に出力される。こうして、表示パネル１００にコンテンツＡが表示される。
【００２２】
一方、半フレーム抽出処理手段（Ｂ）２２２は、コンテンツＢに該当するフレームの下側半分が切り出して信号速度変換処理手段２２４に出力する。コンテンツＢは信号速度変換処理手段２２４で伝送速度を半減された上で、表示パネル１０１に出力される。こうして、表示パネル１０１にコンテンツＢが表示される。
【００２３】
このように、３Ｄ信号の既知の伝送方式で伝送される複合コンテンツに対応することにより、既存技術や既存機器を転用して低コストで両面表示装置を構成することが可能となる。また、複合コンテンツの作成に関しても同様に低コストで行う事が可能となる。
【００２４】
＜Ａ−５．効果＞
本実施の形態の両面表示装置は、コンテンツＡ（第１コンテンツ）とコンテンツＢ（第２コンテンツ）が合成された複合コンテンツから、コンテンツＡとコンテンツＢを分離抽出する複合コンテンツ分離手段２００，２１０，２２０（分離手段）と、複合コンテンツ分離手段２００，２１０，２２０が分離抽出したコンテンツＡを表示する表示パネル１００（第１表示パネル）と、表示パネル１００と背中合わせに配置され、複合コンテンツ分離手段２００，２１０，２２０が分離抽出したコンテンツＢを表示する表示パネル１０１（第２表示パネル）とを備える。複合コンテンツから各コンテンツを分離抽出して表示パネル１００，１０１で表示する構成であるので、単一の映像ソースで両面表示を行うことが可能であり、簡単な構成の両面表示装置となる。また、コンテンツＡとコンテンツＢは同期して表示される。
【００２５】
また、複合コンテンツはサイドバイサイド方式、トップアンドボトム方式、フレームパッキング方式のいずれかでコンテンツＡ，Ｂ（第１、第２コンテンツ）が合成された複合コンテンツである。こうした３Ｄ映像信号の既知の伝送・記録方式でコンテンツＡ，Ｂを合成することにより、既存技術や既存機器を転用して低コストで両面表示装置を構成することが可能となる。また、複合コンテンツの作成に関しても同様に低コストで行う事が可能となる。
【００２６】
＜Ｂ．実施の形態２＞
＜Ｂ−１．構成＞
図７（ａ）は、両面表示装置を表示パネル１００，１０１の長辺が水平になるように横置きした状態を示す図である。また、図７（ｂ）は、両面表示装置を表示パネル１００，１０１の長辺が垂直になるように縦置きした状態を示す図である。図７（ａ）を両面表示装置を通常の設置状態とすると、図７（ｂ）は通常の設置状態から右回り（あるいは左回り）に９０度回転させた設置状態である。なお、両面表示装置のスタンド部を着脱式とすれば、両面表示装置をいずれの状態でも設置することが可能である。
【００２７】
実施の形態２に係る両面表示装置は、図７（ｂ）に示す縦置きに対応するものであり、図５に示すように、実施の形態１の両面表示装置の構成に加えて１８０度回転処理手段３００を備えている。１８０度回転処理手段３００以外の構成は実施の形態１の両面表示装置と同様である。
【００２８】
＜Ｂ−２．動作＞
図６を用いて、実施の形態２に係る両面表示装置の動作を説明する。なお、図６では複合コンテンツの伝送方式をサイドバイサイド方式として説明するが、他の伝送方式を用いても良い。また、上位装置から複合コンテンツ分離手段２００に入力される複合コンテンツは、通常状態から左回りに９０度回転したものとする。なお、ここで通常状態とは、通常の設置状態の両面表示装置に入力するコンテンツの向きを指す。
【００２９】
この複合コンテンツは、実施の形態１と同様、複合コンテンツ分離手段２００でコンテンツＡとコンテンツＢに分離され、夫々水平方向に２倍に伸長されて元の大きさに復元される。コンテンツＡについては、複合コンテンツ分離手段２００から表示パネル１００に出力される。
【００３０】
一方、コンテンツＢは複合コンテンツ分離手段２００から１８０度回転処理手段３００に入力され、１８０度回転処理手段３００で１８０度回転する。こうして、表示パネル１００には通常状態から左回りに９０度回転したコンテンツが表示され、表示パネル１０１には通常状態から右回りに９０度回転したコンテンツが表示される。
【００３１】
両面表示装置を通常状態に対して右回りに９０度回転させた縦置き状態で使用する場合、表示パネル１００は通常状態から右回りに９０度回転しており、表示パネル１０１は通常状態に対して左回りに９０度回転している。よって、いずれの表示パネル１００，１０１においてもコンテンツＡ，Ｂが正しく正立して表示される。
【００３２】
なお、両面表示装置を通常状態に対して左回りに９０度回転させた縦置き状態で使用する場合には、複合コンテンツの生成時に全てのコンテンツを１８０度回転させるか、１８０度回転手段をコンテンツＡに対して動作するように配置すれば良い。
【００３３】
あるいは、図８に示すように２つの１８０度回転処理手段３１０，３１１を設け、複合コンテンツ分離手段２００で分離抽出したコンテンツＡを１８０度回転処理手段３１０に入力し、複合コンテンツ分離手段２００で分離抽出したコンテンツＢを１８０度回転処理手段３１１に入力する構成とすれば良い。そして、１８０度回転処理手段３１０，３１１は、両面表示装置の設置状況や、複合コンテンツの生成状況に合わせて、１８０度回転処理を行うか否かが設定される。１８０度回転処理手段３１０，３１１が１８０度回転処理を行うか否かは、ユーザーが両面表示装置本体の操作入力部（図示せず）から設定したり、あるいはリモコンなどの端末を用いて設定できるようにしても良い。あるいは、両面表示装置の傾きを検出して自動的に設定されても良い。
【００３４】
これにより、両面表示装置をいずれの状態で設置した場合であっても、表示パネル１００，１０１の双方にコンテンツＡ，Ｂを正立した状態で表示することが可能である。
【００３５】
＜Ｂ−３．複合コンテンツ分離手段＞
図９は、実施の形態２の両面表示装置における複合コンテンツ分離手段２００，２１０，２２０を実現するための回路ブロック図である。複合コンテンツ分離手段２００，２１０，２２０は、メモリー４００、書き込み処理回路４０１、読み出し処理回路４０２，４０３、タイミング制御回路４０４、補間処理回路４０５，４０６、動作モード制御回路４０７により実現する。また、タイミング制御回路４０４は１８０度回転制御回路４０４ａを含んでいる。
【００３６】
複合コンテンツ分離手段２００，２１０，２２０に入力された複合コンテンツは、タイミング制御回路４０４の制御に従って、書き込み処理回路４０１によりメモリー４００に書き込まれる。読み出し処理回路４０２は、メモリー４００に書き込まれた複合コンテンツから、タイミング制御回路４０４の制御に従って表示パネル１００の表示に必要な所定の部分を読み出す。又、読み出し処理回路４０３は、メモリー４００に書き込まれた複合コンテンツから、タイミング制御回路４０４の制御に従って表示パネル１０１の表示に必要な所定の部分を読み出す。
【００３７】
例えば、サイドバイサイド方式で合成された複合コンテンツに対しては、メモリー４００に書き込まれたデータのうち、読み出し処理回路４０２は左半分のデータだけを読み出し、読み出し処理回路４０３は右半分のデータだけを読み出すことにより、水平１／２抽出処理手段（Ｌ）２０１及び水平１／２抽出処理手段（Ｒ）２０２の動作を行う（図２参照）。トップアンドボトム方式の複合コンテンツに対しては、それぞれ上側、下側のデータだけを読み出すことにより、垂直１／２抽出処理手段（Ｔ）２１１及び垂直１／２抽出処理手段（Ｂ）２１２の動作を行う（図３参照）。フレームパッキング方式の複合コンテンツに対しては、トップアンドボトム方式と同様にそれぞれ上側、下側のデータだけを読み出すことにより、半フレーム抽出処理手段（Ｔ）２２１及び半フレーム抽出処理手段（Ｂ）２２２の動作を行う（図４参照）。また、この読み出しの速度を、伝送速度の半分の速度とすることにより、信号速度変換処理手段２２３、２２４の動作を行う（図４参照）。このように、メモリー４００からの読み出し位置と速度を制御することで、複合コンテンツからコンテンツＡ，Ｂを抽出することが出来る。
【００３８】
なお、複合コンテンツの合成方式は動作モード制御回路４０７によって管理されており、その指示に従ってタイミング制御回路４０４が書き込みと読み出しを制御する。また、図９でタイミング制御回路４０４に複合コンテンツが入力されているのは、書き込み開始のタイミングをタイミング制御回路４０４が知るためである。
【００３９】
メモリー４００から読み出されたコンテンツＡ，Ｂは、それぞれ補間処理回路４０５，４０６に入力される。補間処理回路４０５，４０６は、必要な補間データを生成してコンテンツを伸長する。例えばサイドバイサイド方式の複合コンテンツから抽出されたコンテンツに対しては、水平方向の補間処理を行うことにより、水平伸長処理手段２０３，２０４として動作する（図２参照）。また、トップアンドボトム方式の複合コンテンツから抽出されたコンテンツに対しては、垂直方向の補間処理を行うことにより、垂直伸長処理手段２１３，２１４として動作する（図３参照）。なお、フレームパッキング方式の複合コンテンツから抽出されたコンテンツに対しては、補間処理を行わない。補間処理回路４０５，４０６がいずれの動作を行うかは、動作モード制御回路４０７の指示による。
【００４０】
１８０度回転制御回路４０４ａは、読み出し処理回路４０２，４０３を制御することで、１８０度回転処理手段３００として動作する（図６参照）。例えば、１８０度の回転処理を行わない場合に、読み出し処理回路４０２はメモリー４００における上の行から下の行に向けて読み出しを行い、１つの行の中では左から右に向けて読み出しを行うとする。この場合、１８０度回転制御回路４０４ａは、下の行から上の行に向けて読み出しを行い、また１つの行の中では右から左に向けて読み出しを行うように読み出し処理回路４０２を制御する。これにより、１８０度回転した状態でコンテンツを読み出すことが出来る。ここで、１８０度回転させるか否かは動作モード制御回路４０７の指示による。
【００４１】
以上に説明したように、１８０度回転処理はコンテンツの読み出しと同時に行われる。図５，６，８では、説明の都合上、１８０度回転処理手段３００，３１０，３１１を複合コンテンツ分離手段２００とは別の機能ブロックとしたが、複合コンテンツ分離手段２００に含めても良い。
【００４２】
動作モード制御回路４０７は、図示しない外部から動作モードを指定され、それに応じて他の回路に対する指示を行う。動作モード制御回路４０７へのモード指定は、両面表示装置本体の操作入力部（図示せず）やリモコン等を用いてユーザーが手動で行うことが可能である。あるいは、複合コンテンツを自動判別して設定したり、両面表示装置の傾きを各種のセンサーで検出し、傾きに応じて自動で設定しても良い。
【００４３】
＜Ｂ−４．効果＞
本実施の形態の両面表示装置において、複合コンテンツ分離手段２００（分離手段）は、第１、第２コンテンツの何れか一方を１８０度回転させて抽出するので、両面表示装置を縦置きした場合に、表示パネル１００，１０１の双方でコンテンツが正立して表示される。
【００４４】
また、複合コンテンツ分離手段２００は、メモリー４００（記憶回路）と、メモリー４００に複合コンテンツを書き込む書き込み処理回路４０１と、メモリー４００からコンテンツＡ（第１コンテンツ）とコンテンツＢ（第２コンテンツ）を分離して読み出す読み出し処理回路４０２，４０３と、読み出し処理回路４０２，４０３の読み取りタイミングと読み取り方向を制御するタイミング制御回路４０４と、タイミング制御回路４０４の動作モードを指定する動作モード制御回路とを備え、タイミング制御回路４０４は、指定された動作モードに応じて制御を行う。読み出し処理回路４０２，４０３の読み取りタイミングを制御することにより、サイドバイサイド方式、トップアンドボトム方式、フレームパッキング方式のいずれにも対応することが可能である。また読み出し処理回路４０２，４０３の読み取り方向を制御することにより、コンテンツを１８０度回転させることも可能であるので、両面表示装置を縦置き設置した場合にも、コンテンツを正立して表示させることが可能である。
【００４５】
なお、本発明は、その発明の範囲内において、各実施の形態を自由に組み合わせたり、各実施の形態を適宜、変形、省略することが可能である。
【符号の説明】
【００４６】
１００  表示パネル、１０１  表示パネル、１１０  表示パネルタイミング制御手段、２００，２１０，２２０  複合コンテンツ分離手段、２０１  水平１／２抽出処理手段（Ｌ）、２０２  水平１／２抽出処理手段（Ｒ）、２０３，２０４  水平伸長処理手段、２１１  垂直１／２抽出処理手段（Ｔ）、２１２  垂直１／２抽出処理手段（Ｂ）、２１３，２１４  垂直伸長処理手段、２２１  半フレーム抽出処理手段（Ｔ）、２２２  半フレーム抽出処理手段（Ｂ）、２２３，２２４  信号速度変換処理手段、３００，３１０，３１１  １８０度回転手段、４００  メモリー、４０１  書き込み処理回路、４０２，４０３  読み出し処理回路、４０４  タイミング制御回路、４０４ａ  １８０度回転制御回路、４０５，４０６  補間処理回路、４０７  動作モード制御回路。
【図１】
2013205699.tif 000003
【図２】
2013205699.tif 000004
【図３】
2013205699.tif 000005
【図４】
2013205699.tif 000006
【図５】
2013205699.tif 000007
【図６】
2013205699.tif 000008
【図７】
2013205699.tif 000009
【図８】
2013205699.tif 000010
【図９】
2013205699.tif 000011